(57)【要約】電気泳動ディスプレイパネル（１）は、粒子（６）が極端位置の１つを実質的に占めることを可能にするために、リセット値及びリセット持続時間を有するリセット電位差であるように各々のピクチャ要素（２）の電位差を制御するための駆動手段（１００）を有する。リセットパルスは、リセット期間（Ｐｒｅｓｅｔ）中、非ゼロ時間インターバルにより分離される２つ又はそれ以上のパルスに分離される。
2007527025.tif 000002
【特許請求の範囲】
【請求項１】
帯電粒子を有する電気泳動媒体；
複数のピクチャ要素；
電位差を受ける各々のピクチャ要素に関連付けられた電極；及び
駆動手段；
を有する電気泳動ディスプレイパネルであって、前記駆動手段は、各々のピクチャ要素の前記電位差は：
帯電粒子が極端位置の１つを実質的に占めることを可能にするために、リセット値及びリセット持続時間を有するリセット電位差であるように；続いて、
前記帯電粒子が画像情報に対応する位置を占めることを可能にするためにピクチャ電位差であるように；
制御するために備えられ、
前記駆動手段は、リセット期間中、非ゼロ時間インターバルにより分離された２つ又はそれ以上のパルスにおいて１つの光学状態から極端光学状態にピクチャ要素をリセットするために前記リセット電位差を適用するように更に備えられている；
ことを特徴とする電気泳動ディスプレイパネル。
【請求項２】
請求項１に記載の電気泳動ディスプレイパネルであって、前記駆動手段は、前記の２つ又はそれ以上のパルスの適用のために備えられ、それにより、前記の２つ又はそれ以上のパルスは同じ極性を有する、ことを特徴とする電気泳動ディスプレイパネル。
【請求項３】
請求項１に記載の電気泳動ディスプレイパネルであって、前記駆動手段は、リセット期間中、非ゼロ時間インターバルにより分離された２つ又はそれ以上のパルスにおいて中間光学状態から極端光学状態にピクチャ要素をリセットために前記リセット電位差を適用するように更に備えられている、ことを特徴とする電気泳動ディスプレイパネル。
【請求項４】
請求項１に記載の電気泳動ディスプレイパネルであって、１つの光学状態から極端光学状態にピクチャ要素をリセットするために前記リセット電位差は、上限閾値より短く、下限閾値より長い全リセット電位適用時間を有する画像遷移のための前記リセット期間中、２つ又はそれ以上のパルスにおいて適用される、ことを特徴とする電気泳動ディスプレイパネル。
【請求項５】
請求項１に記載の電気泳動ディスプレイパネルであって、前記駆動手段は、リセット期間中、３つ以上のパルスにおいて光学状態から極端光学状態にピクチャ要素をリセットために前記リセット電位差を適用するように更に備えられている、ことを特徴とする電気泳動ディスプレイパネル。
【請求項６】
請求項１に記載の電気泳動ディスプレイパネルであって、前記駆動手段は、リセット期間中、２つのパルスにおいて光学状態から極端光学状態にピクチャ要素をリセットために前記リセット電位差を適用するように更に備えられている、ことを特徴とする電気泳動ディスプレイパネル。
【請求項７】
請求項６に記載の電気泳動ディスプレイパネルであって、前記パルスは前記リセット期間の約２５％と７５％に集められている、ことを特徴とする電気泳動ディスプレイパネル。
【請求項８】
請求項１に記載の電気泳動ディスプレイパネルであって、前記駆動手段は、２つ又はそれ以上のパルスにおいて前記リセット電位差を適用するために備えられ、前記の適用されたパルスは、少なくとも１つの中間光学状態から極端光学状態への遷移に対して、実質的に等しい時間の持続時間を有する、ことを特徴とする電気泳動ディスプレイパネル。
【請求項９】
請求項１乃至８の何れ一項に記載の電気泳動ディスプレイパネルであって、前記駆動手段は、２つ又はそれ以上のパルスにおいて前記リセット電位差を適用するために備えられ、少なくとも１つの中間光学状態から極端光学状態への遷移に対して、前記パルスは少なくとも２つの非ゼロ時間インターバルにより分離され、前記時間インターバルは実質的に等しい長さを有する、ことを特徴とする電気泳動ディスプレイパネル。
【請求項１０】
請求項１に記載の電気泳動ディスプレイパネルであって、前記駆動手段は、前記リセット電位差である前に、プリセット電位差のシーケンスであるように前記電位差を各々のピクチャ要素に対して制御するように更に備えられ、前記のプリセット電位差のシーケンスはプリセット値及び関連プリセット持続時間を有し、前記シーケンスにおける前記プリセット値は符号が交互に変わり、各々のプリセット電位差は、それらの位置から前記極端位置の１つに存在する粒子を開放するには十分であるが、前記粒子が前記極端位置の他の１つに達するには不十分であるプリセットエネルギーを示す、ことを特徴とする電気泳動ディスプレイパネル。
【請求項１１】
帯電粒子を有する電気泳動媒体；及び
複数のピクチャ要素であって、その方法において、ピクチャ要素をリセットするために、階調データの適用に先立ち、前記ディスプレイ装置の要素にリセットパルスを適用する、複数のピクチャ要素；
を有する電気泳動ディスプレイ装置を駆動するための方法であって、
光学状態から極端光学状態にピクチャ要素をリセットするための前記リセット電位差は、リセット期間中、非ゼロ時間インターバルにより分離された２つ又はそれ以上のパルスに適用される；
ことを特徴とする方法。
【請求項１２】
請求項１１に記載の方法であって、光学状態から極端光学状態にピクチャ要素をリセットするための前記リセット電位差は、リセット期間中、３つ以上のパルスにおいて適用される、ことを特徴とする方法。
【請求項１３】
請求項１１に記載の方法であって、光学状態から極端光学状態にピクチャ要素をリセットするための前記リセット電位差は、リセット期間中、２つのパルスにおいて適用される、ことを特徴とする方法。
【請求項１４】
電気泳動ディスプレイパネルを駆動するためのドライブ手段であって：
帯電粒子を有する電気泳動媒体；
複数のピクチャ要素；及び
電位差を受けるための各々のピクチャ要素に関連付けられた電極；
を有するドライブ手段であって、前記ドライブ手段は、各々のピクチャ要素の前記電位差が：
帯電粒子が極端位置の１つを実質的に占めることを可能にするために、リセット値及びリセット持続時間を有するリセット電位差であるように；続いて、
前記帯電粒子が画像情報に対応する位置を占めることを可能にするためにピクチャ電位差であるように；
制御するために備えられ、
前記ドライブ手段は、リセット期間中、非ゼロ時間インターバルにより分離された２つ又はそれ以上のパルスにおいて１つの光学状態から極端光学状態にピクチャ要素をリセットするために前記リセット電位差を適用するように更に備えられている；
ことを特徴とするドライブ手段。
【発明の詳細な説明】
【技術分野】
【０００１】
本発明は、電気泳動ディスプレイパネルであって：
−  帯電粒子を有する電気泳動媒体と；
−  複数のピクチャ要素と；
−  電位差を受ける各々のピクチャ要素に関連付けられている電極と；
−  駆動手段と
を有する、電気泳動ディスプレイパネルであり、駆動手段は、複数のピクチャ要素の各々の電位差が：
−  リセット期間の間、リセット持続時間及びリセット値を有するリセット電位差であるように；  
−  それに続いて、帯電粒子が画像情報に対応する位置を占めるようにするために階調電位差であるように；
制御するために備えられている、電気泳動ディスプレイパネルに関する。
【０００２】
本発明は又、電気泳動ディスプレイ装置を駆動するための方法であって、その方法において、階調データの適用に先立って、ディスプレイ装置の要素にリセットパルスが印加される、方法に関する。
【０００３】
本発明は、更に、そのような電気泳動ディスプレイパネルを駆動するための駆動手段に関する。
【背景技術】
【０００４】
冒頭の段落で述べた種類の電気泳動ディスプレイパネルの実施形態については、国際公開第０２／０７３３０４号パンフレットに記載されている。
【０００５】
その記載されている電気泳動ディスプレイパネルにおいては、各々のピクチャ要素は、ピクチャの表示中、帯電粒子の位置により決定される外観を有する。帯電粒子の位置は、しかしながら、電位差ばかりでなく、電位差の履歴にも依存する。リセット電位差の印加の結果、帯電粒子は、続いて、階調電位差が適用される前に、極端位置を占めるため、ピクチャ要素の外観の電位差履歴依存性は低減される。このように、ピクチャ要素は、リセットされる度に、極端状態の１つになる。続いて、ピクチャ電位差の結果、粒子は、画像情報に対応する階調を表示するための位置を占める。“階調”は、何れの中間状態を意味するとして理解される必要がある。表示が白黒表示であるとき、“階調”は、実際には、灰色の濃さに関連していて、他の種類のカラー要素を用いるとき、“階調”は、極端状態間の何れの中間状態を網羅するとして理解される必要がある。
【０００６】
画像情報が変化されるとき、ピクチャ要素はリセットされる。本発明者は、リセット電圧の適用中、ディスプレイの画像が、ビューアにとって魅力的でない画像において、異常な変化を示し得ることを認識した。特に、１つの画像から他の画像への変化は全く異常であい得る。
【発明の開示】
【発明が解決しようとする課題】
【０００７】
本発明の目的は、１つの画像から他の画像へのスムーズな変化を与えることができる、冒頭の段落において述べた種類のディスプレイパネルを提供することである。
【課題を解決するための手段】
【０００８】
その目的は、それ故、リセット期間中、非ゼロ時間インターバルにより分離された２つ又はそれ以上のパルスにある光学的状態から光学的極端状態にピクチャ要素をリセットするためのリセット電位差の適用のために駆動手段を更に備えていることにより、達成される。
【０００９】
極端状態の１つにピクチャ要素をリセットするためには、異なるピクチャ要素に対してリセット電位の適用が必要である。リセット電位差の適用の全持続時間は、最も好適には、光学状態間の差の関数であり、その光学状態は中間光学状態、即ち、リセットされる前の階調及びピクチャ要素がリセットされるべき極端光学状態であることが可能であり、即ち、白色であるピクチャ要素が黒色状態にリセットされる必要がある、即ち、一の極端光学状態から一の極端光学状態に変化するとき、リセット電位差が比較的長い期間適用される一方、ピクチャ要素が濃い灰色から黒色状態にリセットされる、即ち、中間光学状態から極端光学状態に変化する場合、リセット電位差は比較的短い期間の間のみ適用される必要がある。光学状態、例えば、中間階調から極端位置に（例えば、階調値から黒色状態に）リセットされるべき各々の要素に、１つのパルスの状態でリセット電位差を適用することにより、本出願者が認識したように、特に、画像が著しく異なる場合に、一の画像から他の画像への切り替えの際の衝撃効果に繋がり、その衝撃的効果は、ビューアにとって魅力的なものではない。非ゼロ時間インターバルにより分離された２つ又はそれ以上のパルスに対するリセット電位差を割り当てることにより、一の画像から他の画像へのよりスムーズな遷移に繋がる。
【００１０】
好適には、駆動手段は、最大値より短く、最小値より長い全リセット電位適用時間を有する全ての画像遷移に対するリセット期間（Ｐｒｅｓｅｔ）中に２つ又はそれ以上のパルスで１つの光学状態から極端光学状態にピクチャ要素をリセットするためのリセット電位差の適用のために備えられている。
【００１１】
極端状態と同等又はそれに非常に近い階調からの遷移は、本発明の概念において、少なくとも１つの中間光学状態であって、好適には、中間光学状態の大部分から、非ゼロ時間インターバルにより分離された２つ又はそれ以上のパルスが用いられる極端光学状態への遷移のためである限り、１つの短いパルス又は１つの非常に長いパルスにおいて尚も適用されることが可能である。好適には、上限の閾値より短く、下限の閾値より長い全適用時間を有する全遷移に対して、２つ又はそれ以上のパルスが用いられる。リセットパルスの適用は、しばしば、固定時間期間（例えば、フレーム時間）により制限され、リセット期間は、整数（例えば、Ｎ）と固定時間期間の積である。非常に短い全パルス（０、１又は２と固定時間期間の積）を必要とする遷移は、長いパルスはＮ又はＮ−１と固定時間期間の積を必要とする遷移のためのものであるため、１つの非分離パルスにおいてなされることが可能である。
【００１２】
２つの又はそれ以上のパルスは、好適には、同じ極性を有する。
【００１３】
実施形態においては、リセット電位差は、３つ以上のパルスに対して分配された幾つかの遷移に少なくとも対するものである。
【００１４】
実施形態においては、リセット電位は２つのパルスに対して分配される。このタイプのスキームが必要とするエネルギーは最小である。
【００１５】
好適には、駆動手段は、２つ又はそれ以上のパルスにおけるリセット電位差の適用のために備えられていて、適用されるパルスは、少なくとも１つの中間光学状態から極端状態への遷移に対して、実質的に等しい持続時間を有する。
【００１６】
特に、パルス自体が同じ長さである場合、同じ長さのパルス間の時間インターバルを設けることは非常にスムーズな画像遷移に繋がる。
【００１７】
少なくとも幾つかの遷移に対して、オーバーリセットが適用されるように、駆動手段がリセットパルスを制御することができるとき、本発明は、特に、有利である。
【００１８】
駆動手段が各々のピクチャ要素に対して、リセット電位差である前に、一連のプリセット電位差であるように電位差を制御することができる場合、プリセット電位差のシーケンスはプリセット値及び関連プリセット持続時間を有し、そのシーケンスにおけるプリセット値は交互に符号を変え、各々のプリセット電位差は、前記極端位置の一にある粒子をそれらの位置から開放するには十分であるが、前記粒子が極端位置の他の一に達するには不十分であるエネルギーを示すことは、更に有利である。有利点として、プリセット電位差のシーケンスは、ピクチャ要素の外観の電位差の履歴依存性を低減させる。
【００１９】
本発明に従って、電気泳動ディスプレイ装置を駆動するための方法であって、その電気泳動ディスプレイ装置は：
−  帯電粒子を有する電気泳動媒体と；
−  複数のピクチャ要素であって、その方法において、リセットパルスが、ピクチャ要素をリセットするために、階調データの適用に先立ってディスプレイ装置の要素に適用される、複数のピクチャ要素であり、ある光学状態から極端光学状態にピクチャ要素をリセットするためのリセット電位差が、リセット期間（Ｐｒｅｓｅｔ）中、非ゼロ時間インターバルにより分離された２つ又はそれ以上のパルスに適用される、複数のピクチャ要素と；
を有する、方法を提供する。
【００２０】
又、本発明に従って、電気泳動ディスプレイパネルを駆動するための駆動手段であって、前記ディスプレイパネルは：
−  帯電粒子を有する電気泳動媒体と；
−  複数のピクチャ要素と；
−  電位差を受けるための各々のピクチャ要素に関連付けられる電極と；
を有する、駆動手段であり、
粒子が極端位置の１つを実質的に占めるようにするために、リセット値及びリセット持続時間を有するリセット電位差であるように；
次いで、粒子が画像情報に対応する位置を占めるようにするために、ピクチャ電位差であるように；
各々のピクチャ要素の電位差を制御するために前記駆動手段が備えられ、
前記駆動手段は、リセット期間（Ｐｒｅｓｅｔ）中、非ゼロ時間インターバルにより分離された２つ又はそれ以上のパルスにおいて１つの光学状態から極端光学状態にピクチャ要素をリセットするためのリセット電位差の適用のために更に備えられている、
駆動手段を提供する。
【００２１】
本発明のディスプレイパネルの上記の及び他の特徴について、図面を参照して更に詳述する。
【００２２】
全ての図において、対応する構成要素は、通常、同じ参照番号により示される。
【発明を実施するための最良の形態】
【００２３】
図１及び２は、第１基板８と、対向する第２基板９と、複数のピクチャ要素２とを有するディスプレイパネル１の実施形態を示している。好適には、ピクチャ要素２は、二次元構造において実質的に直線に沿って配列されている。他のピクチャ要素２の配置は、他の、例えば、ハニカム配列であることが可能である。帯電粒子６を有する電気泳動媒体５は、基板８，９間にある。第１電極３及び第２電極４は各々のピクチャ要素２に関連付けられている。電極３、４は電位差を受けることができる。図２においては、第１基板８は各々のピクチャ要素２のために第１電極３を有し、第２基板９は各々のピクチャ要素２のために第２電極４を有する。帯電粒子６は、電極３、４近くの極端位置と、電極３、４間の中間位置を占めることができる。各々のピクチャ要素２は、ピクチャを表示するために電極３、４間の帯電粒子の位置により決定される外観を有する。電気泳動媒体５については、例えば、米国特許第５，９６１，８０４号明細書、米国特許第６，１２０，８３９号明細書及び米国特許第６，１３０，７７４号明細書に記載されていて、Ｅ  Ｉｎｋ社製のものがある。例として、電気泳動媒体５は負に帯電した黒色粒子６と白色流体とを有する。帯電粒子６が第１極端位置、即ち、第１電極３近傍にあるとき、例えば、１５Ｖにある電位差の結果として、ピクチャ要素２の外観は、例えば、白色である。ここでは、ピクチャ要素２が第２基板９の側から観測されるとみなされる。帯電粒子６が第２極端位置、即ち、第２電極近傍にあるとき、反対の電位、即ち、−１５Ｖである電位差の結果として、ピクチャ要素２の外観は黒色である。帯電粒子６が中間位置の１つ、即ち、電極３、４間にあるとき、ピクチャ要素２は中間外観の１つ、例えば、薄い灰色、中間の灰色又は濃い灰色であり、その中間外観は白色と黒色の間の階調である。駆動手段１００は、粒子が極端位置の１つを実質的に占めるようにするためにリセット値及びリセット持続時間を有するリセット電位であるように、続いて、粒子が画像情報に対応する位置を占めるようにするためにリセット電位であるように、各々のピクチャ要素２の電位を制御するために配置されている。
【００２４】
図３は、ベース基板３２と、例えば、ポリエチレンから成り、２つの透明基板３３、３４の間に存在する電子インクを有する電気泳動フィルムと、透明なピクチャ電極３５を備えている基板の一３３と、対向電極３６を備えている他の基板３４とを有する、幾つかのディスプレイ要素の大きさの電気泳動ディスプレイ装置３１の更なる例の一部の断面を示している。電子インクは約１０乃至５０μｍの複数のマイクロカプセル３７を有する。各々のマイクロカプセル３７は、流体Ｆに浮遊している正に帯電した白色粒子３８と負に帯電した黒色粒子３９とを有する。正電場が画素電極３５に印加されるとき、白色粒子３８は対向電極３６の方に方向付けられたマイクロカプセルの側に移動し、ディスプレイ要素はビューアにとって可視的になる。同時に、黒色粒子３９は、マイクロカプセル３７の反対側に移動し、それらの黒色粒子はビューアに対して隠される。画素電極３５に負電場を印加することにより、黒色粒子３９は対向電極３６の方に方向付けられたマイクロカプセル３７の側に移動し、ディスプレイ要素はビューアにとって暗くなる（図示せず）。電場が取り除かれたとき、粒子３８、３９は得られた状態に保たれ、ディスプレイは双安定特性を示し、実質的に電力を消費しない。
【００２５】
図４は、能動スイッチング要素を備えたベース基板３２において積層された電気泳動薄膜と、行ドライバ４６と、列ドライバ４０とを有するピクチャディスプレイ装置の等価回路を示している。好適には、対向電極３６は、カプセル化された電気泳動インクを有するフィルムにおいて備えられているが、面内電場を用いる動作においては、代替として、ベース基板において備えられることが可能である。ディスプレイ装置３１は、能動スイッチング要素により駆動され、この実施例においては、薄膜トランジスタ４９により駆動される。そのディスプレイ装置は、行又は選択電極４７及び列又はデータ電極４１との交差部分の領域においてディスプレイ要素のマトリクスを有する。行ドライバ４６は行電極４７を連続的に選択する一方、列ドライバ４０は列電極４１にデータ信号を供給する。好適には、処理器４５は、先ず、入力データ４３をデータ信号に処理する。列ドライバ４０と行ドライバ４６との間の同期が駆動ライン４２によりなされる。行ドライバ４６からの選択信号は薄膜トランジスタ４９により画素電極４２を選択し、その薄膜トランジスタ４９のゲート電極５０は行電極に電気的に接続され、ソース電極５１は列電極４１に電気的に接続されている。列電極４１におけるデータ信号は、ＴＦＴによりドレイン電極に結合されたディスプレイ要素の画素電極５２に転送される。この実施形態においては、図３のディスプレイ装置は又、各々のディスプレイ要素４８の位置において付加容量５３を有する。この実施形態においては、付加容量５３は１つ又はそれ以上の蓄積容量ライン５４に接続されている。ＴＦＴの代わりに、例えば、ダイオード、ＭＩＭ等の他のスイッチング要素を適用することができる。
【００２６】
実施例として、リセット電位差の適用の前の、サブセットの画素要素の外観は、Ｇ２で示すように薄い灰色である。更に、同じ画素要素の画像情報に対応するピクチャ外観は、Ｇ１で示すように、濃い灰色である。この実施例においては、ピクチャ要素の電位差は、図５Ａに時間の関数として示している。リセット電位差は、例えば、１５Ｖであり、時間ｔ１から時間ｔ´２までであり、ｔ２は最大リセット持続時間、即ち、リセット期間Ｐｒｅｓｅｔである。リセット持続時間及び最大リセット持続時間はそれぞれ、例えば、５０ｍｓｅｃ及び３００ｍｓｅｃである。その結果、ピクチャ要素は、Ｗで示されるように、略白色である外観を有する。ピクチャ電位差は時間ｔ３から時間ｔ４まで存在し、例えば、−１５Ｖの値と、例えば、１５０ｍｓｅｃの持続時間を有する。その結果、ピクチャ要素は、ピクチャを表示するために濃い灰色（Ｇ１）である外観を有する。時間ｔ２から時間ｔ３までのインターバルはなくすことが可能である。
【００２７】
サブセットの各々のピクチャ要素に対する最大リセット時間、即ち、完全なリセット期間は、極端位置の一から極端位置の他の一までのそれぞれのピクチャ要素の粒子６の位置を変化させるための持続時間に実質的に等しいか又はそれより長い。この実施例におけるピクチャ要素に対する基準持続時間は、例えば、３００ｍｓｅｃである。
【００２８】
更なる例として、ピクチャ要素の電位差が図５Ｂにおいて時間の関数として示されている。ピクチャ要素の外観は、リセット電位差の適用前には、濃い灰色（Ｇ１）である。更に、ピクチャ要素の画像情報に対応するピクチャ外観は薄い灰色（Ｇ２）である。リセット電位差は、例えば、１５Ｖの値を有し、時間ｔ１から時間ｔ２´まで存在する。リセット持続時間は、例えば、１５０ｍｓｅｃである。その結果、ピクチャ要素は、実質的に、白色（Ｗ）である外観を有する。ピクチャ電位差は、時間ｔ３から時間ｔ４まで存在し、例えば、−１５Ｖの値及び、例えば、５０ｍｓｅｃの持続時間を有する。その結果、ピクチャ要素は、ピクチャを表示するために、薄い灰色（Ｇ２）である外観を有する。
【００２９】
実施形態の他の変形においては、駆動手段１００は、画像情報に対応する粒子６の位置に最も近い極端位置を粒子６が占めることを可能にするように、各々のピクチャ要素のリセット電位差を制御するために、更に備えられている。実施例として、ピクチャ要素の外観は、リセット電位差の適用前には、薄い灰色（Ｇ２）である。更に、ピクチャ要素の画像情報に対応するピクチャ外観は濃い灰色（Ｇ１）である。この実施例に対して、ピクチャ要素の電位差は、図６Ａにおいて時間の関数として示されている。リセット電位差は、例えば、−１５Ｖの値を有し、時間ｔ１から時間ｔ´２まで存在する。リセット持続時間は、例えば、１５０ｍｓｅｃである。その結果、粒子６は、第２極端位置を占め、ピクチャ要素は、実質的に、Ｂで示すように黒色の外観を有し、その第２極端位置は、画像情報、即ち、濃い灰色の外観（Ｇ１）を有するピクチャ要素２に対応する粒子の位置に最も近い。ピクチャ電位差は、時間ｔ３から時間ｔ４まで存在し、例えば、１５Ｖの値及び、例えば、５０ｍｓｅｃの持続時間を有する。その結果、ピクチャ要素２は、ピクチャを表示するために、濃い灰色（Ｇ１）である外観を有する。他の実施例として、他のピクチャ要素の外観は、リセット電位差の適用前には、薄い灰色（Ｇ２）である。更に、このピクチャ要素の画像情報に対応するピクチャ外観は、実質的に白色（Ｗ）である。この実施例に対して、ピクチャ要素の電位差は、図６Ｂにおいて、時間の関数として示されている。リセット電位差は、例えば、１５Ｖの値を有し、時間ｔ１から時間ｔ´２まで存在する。リセット持続時間は、例えば、５０ｍｓｅｃである。その結果、粒子６は第１極端位置を占め、ピクチャ要素は、実質的に、白色の外観を有し、その第１極端位置は、画像情報、即ち、実質的に白色の外観を有するピクチャ要素２に対応する粒子６の位置に最も近い。ピクチャを表示するために、外観は既に実質的に白色であるため、ピクチャ電位差は、時間ｔ３から時間ｔ４まで存在し、０Ｖの値を有する。
【００３０】
図７においては、ピクチャ要素は、実質的に直線７０に沿って配列されている。粒子６が、実質的に、極端位置の１つ、例えば、第１極端位置を占める場合、ピクチャ要素は、実質的に、等しい第１外観、例えば、白色を有する。粒子６が、実質的に、極端位置の他の１つ、例えば、第２極端位置を占める場合、ピクチャ要素は、実質的に、等しい第２外観、例えば、黒色を有する。駆動手段は、粒子が等しくない極端位置を実質的に占めることが可能であるように各々の直線７０に沿って続くピクチャ要素２のリセット電位差を制御するために、更に備えられている。図７は、リセット電位差の結果として、第１外観及び第２外観の平均を表すピクチャを示している。
【００３１】
図８において、ピクチャ要素２は、実質的に直線状の行７１に沿って及び二次元構造において実質的に行に垂直である実質的に直線状の列７２に沿って配列され、各々の行７１は、例えば、図８において、ピクチャ要素の所定の第１数を有し、各々の列７２は、例えば、図８において、ピクチャ要素の所定の第２数を有する。粒子６が、極端位置の１つ、例えば、第１極端位置を実質的に占める場合、ピクチャ要素は、実質的に、等しい第１外観、例えば、白色を有する。粒子６が、極端位置の他の１つ、例えば、第２極端位置を実質的に占める場合、ピクチャ要素は、実質的に、等しい第２外観、例えば、黒色を有する。駆動手段は、粒子が等しくない極端位置を実質的に占めることが可能であるように各々の列７２に沿って続くピクチャ要素２のリセット電位差を制御するために、更に備えられている。図８は、リセット電位差の結果として、第１外観及び第２外観の平均を表すピクチャを示している。そのピクチャは、実質的に中間階調を示し、その中間階調は、前実施形態に比べて幾分スムーズである。
【００３２】
種々の装置においては、駆動手段は、リセット電位差である前に、プリセット電位差のシーケンスであるように各々のピクチャ要素の電位差を制御するために更に備えられている。好適には、プリセット電位差のシーケンスはプリセット値と関連プリセット持続時間とを有し、そのシーケンスにおけるプリセット値は符号が交互に変わり、各々のプリセット電位差は、それらの位置から極端位置の１つに存在する粒子６を開放するには十分であるが、前記粒子が他の極端位置の１つに到達するには不十分である、プリセットエネルギーを示す。その結果、ピクチャ要素の外観は、プリセット電位差のシーケンスの適用前には、薄い灰色である。更に、ピクチャ要素の画像情報に対応するピクチャ外観は濃い灰色である。この実施例に対して、ピクチャ要素の電位差は、図９においては、時間の関数として示されている。この実施例においては、時間ｔ０から時間ｔ´０まで適用されるプリセット電位差のシーケンスは４つのプリセット値、即ち、１５Ｖ、−１５Ｖ、１５Ｖ及び−１５Ｖを有する。各々のプリセット値は、例えば、２０ｍｓｅｃの間、適用される。ｔ´０とｔ１との間の時間インターバルは、好適には、比較的短い。続いて、リセット電位差は、例えば、−１５Ｖの値を有し、時間ｔ１から時間ｔ´２まで存在する。リセット持続時間は、例えば、１５０ｍｓｅｃである。その結果、粒子６は、第２極端位置を占め、ピクチャ要素は、実質的に、黒色の外観を有する。ピクチャ電位差は、時間ｔ３から時間ｔ４まで存在し、例えば、１５Ｖの値及び、例えば、５０ｍｓｅｃの持続時間を有する。その結果、ピクチャ要素２は、ピクチャを表示するために、濃い灰色である外観を有する。プリセットパルスの外観についてのプラス効果を前提とする機構に対する特定の説明に制限されることなく、プリセットパルスの適用は、電気泳動粒子の運動量を増加させ、それ故、スイッチング時間、即ち、スイッチオーバーを達成するために必要な時間、即ち、外観における変化を短くする。ディスプレイ装置が所定の状態、例えば、黒色状態にスイッチングされた後、電気泳動粒子は、その粒子の周囲の反対符号のイオンにより“凍結”されることが又、可能である。続くスイッチングが白色状態へのものであるとき、それらの反対符号のイオンは適時に解放される必要があり、それには、付加時間を必要とする。プリセット時間の適用は、反対符号のイオンの解放、従って、電気泳動粒子の解凍を迅速化し、それ故、スイッチング時間を短くする。
【００３３】
上記の図及び説明の全ては、プリセットパルスの適用を加えてリセットパルスを適用する一般原理に関するものである。
【００３４】
上記のように、電気泳動ディスプレイにおける階調の正確度は、画像履歴、滞留時間、温度、湿度、電気泳動フォイルの横方向不均一性等により非常に影響される。階調は、基準の黒色状態（Ｂ）か又は基準の白色状態（Ｗ）のどちらか（２つの極端状態）により常に達成されるため、階調の適切なリセットパルスを用いることが達成されることができる。パルスシーケンスは、通常、２つ又は４つの部分であって、シェーキングパルス（任意であり、以下、シェーク１と呼ぶ）と、リセットパルスと、シェーキングパルス（任意であり、以下、シェーク２と呼ぶ）と、階調駆動パルスとを有する。この方法の不利点は、特に、より短い画像更新シーケンスを必要とする画素に対して、例えば、極端状態に近い状態から極端状態への、例えば、薄い灰色から白色又は濃い灰色から黒色への遷移に対して、中間画像（リセット状態）の生成とディスプレイへの階調の導入との間の長い遅延時間、即ち、遅延ｔ´２−ｔ３が存在することである。この遅延、又は、特に、異なる要素間の有効な遅延時間における差は、階調の視覚的に突然の出現をもたらし、ビューアにはそれが見える。
【００３５】
本発明の目的は、１つの画像から他の画像へのよりスムーズな変化を与えることができる、冒頭の段落において説明した種類のディスプレイパネルを提供することである。
【００３６】
リセット期間（Ｐｒｅｓｅｔ）中の時間期間により分離される２つ又はそれ以上のパルスにおける極端位置（Ｂ、Ｗ）に光学状態、例えば、中間階調（Ｇ１、Ｇ２）からピクチャ要素をリセットするためのリセット電位差を適用するために、更に備えられている。
【００３７】
本発明に従った装置においては、駆動手段は、少なくとも２ビット階調を有するスキームを駆動するために備えられ、そのスキームにおいて、少なくとも幾つかのリセットパルスは、特に、比較的短い画像更新シーケンスにおいて、時間インターバルにより分離された少なくとも２つの短いパルスに分離されている。それらの分離された短いリセットパルスは、より長い画像更新シーケンスにおけるリセットパルスに対して必要な時間期間（Ｐｒｅｓｅｔ）を一様に埋め、その結果、漸次の画像変化が得られる。このようにして、黒色／白色へのリセットと階調の付加との間の遅延は最小化され、より自然且つスムーズな画像外観が得られる。全画像更新時間は、実質的に変わらないまま保たれる。
【００３８】
好適な実施形態においては、シェーキングパルスが又、適用される。
【００３９】
本発明について、更に、幾つかの実施形態を例示する。
【００４０】
実施形態１
本発明の実施形態１について、図１０Ｂに模式的に示す一方、図１０Ａは、本発明に従った駆動スキームについて示している。この例において、ディスプレイは少なくとも２ビット階調であって、黒色（Ｂ）、濃い灰色（Ｇ１）、薄い灰色（Ｇ２）及び白色（Ｗ）を有する。Ｗ及びＧ１からのＧ１への２つの遷移が実現される。ＷからＧ１への遷移に対する長いシーケンスとＧ１からＧ１への短いシーケンスである。図１０Ａ及び１０Ｂにおける各々のシーケンスは、４つの部分であって、シェーク１、リセット、シェーク２及び駆動を有する。ここで、図１０Ａの短いシーケンス（Ｇ１からＧ１）における単一のリセットパルスは、長い遷移シーケンス（ＷからＧ１まで）におけるリセットシーケンスについての必要な時間期間において、図１０Ｂに対する６つの短いリセットパルスに分離され、それらの６つの短いリセットパルスは等しい長さを有し、等しい距離を有して分布され、即ち、等しい時間インターバルだけ分離される一方、長いシーケンスにおける単一のリセットパルスは変わらないまま維持される。この実施例においては、簡単化のために、それらの短いパルスにおけるパルス時間の合計は、オリジナルの単一のリセットパルスのパルス幅に等しく取られる。電圧インパルスに対するインク応答の非線形特性のために、それらの短いパルスにおけるパルス時間の合計は、明確なリセット光学状態に達するように、単一のリセットパルスのパルス幅（より、通常、長い）からずれることが可能である。リセット黒色状態と階調の付加との間の遅延は、ここでは最小化され、更に自然な画像外観が、前画像更新時間の増加なしに得られる。パルスの分離及びリセット期間に亘るそれらの分布は、上記の衝撃効果を緩和し、少なくとも低減する。
【００４１】
このスキームにおいて、Ｇ２（薄い灰色）からＧ１（濃い灰色）への遷移は、リセットパルスを用いずに、示された長さ（即ち、Ｇ１からＢへの遷移より長いが、ＷからＢへの遷移より短い）に中間の長さのリセットパルスを適用することにより達成されることが可能である。リセットパルスＧ２−Ｂは、それ故、例えば、８又は９個の短いパルス又は２又は３個の比較的長いパルスに分離される。
【００４２】
代替として、駆動スキームは、オーバーセットの概念を用いることにより、即ち、要素を極端状態に意図的にオーバードライブすることにより簡単化されることが可能である。
【００４３】
これは、オリジナルの状態がＧ２（薄い灰色）及びＢ（黒色）である限り、オーバーリセットがディスプレイをリセットするために用いられるとき、２つのタイプのパルスシーケンスを用いて、Ｗ、Ｇ２、Ｇ１、ＢからＧ１状態への４つの遷移が実現する図１１Ａ及び１１Ｂに示されている。それらは、Ｇ２又はＷからＧ１への遷移（即ち、Ｇ２に対して、オーバーリセットの適用を意味する、Ｇ２及びＷの両方に対する同じ長さ）に対する長いシーケンスと、Ｇ１又はＢからＧ１への短いシーケンス（厳密に言って、黒色のオリジナルの状態は、黒色状態にリセットパルスの適用を必要としないため、Ｂに対して、オーバーリセットの適用を意味する）である。各々のシーケンスは、４つの部分であって、シェーク１、リセット、シェーク２及び駆動を有する。ここで、短いシーケンス（Ｇ１／ＢからＧ１）における単一のリセットパルスは６つの短いリセットパルスに分割され、それらの６つの短いリセットパルスは、長い遷移シーケンス（Ｇ２／ＷからＧ１）におけるリセットパルスに対して必要な時間期間において等しい距離を有して分布している一方、長いシーケンスにおける単一のリセットパルスは変わらないまま維持される。
【００４４】
実施形態２
本発明の実施形態２について、図１２に模式的に示していて、その図１２において、等しいパルス幅を有する６つの短いリセットパルスは、長い遷移シーケンス（Ｇ２／ＷからＧ１）におけるリセットパルスに対して必要な時間期間において等しくない距離を伴って分布している一方、その長いシーケンスにおける単一のリセットパルスは変化しないまま維持されている。
【００４５】
実施形態３
本発明の実施形態３について、図１３に模式的に示していて、その図１３において、Ｇ１又はＢからＧ１への遷移に対する短いシーケンスにおけるリセットパルスは、等しくないパルス幅を有する４つの短いリセットパルスに分割され、それらの４つのリセットパルスは、長い遷移シーケンス（Ｇ２／ＷからＧ１）におけるリセットパルスに対して必要は時間期間において等しくない距離を伴って分布している。
【００４６】
実施形態４
本発明の実施形態４について、図１４Ｂに模式的に示していて、その図１４Ｂにおいて、種々のシーケンスにおいて用いられるリセットパルスの長さは、インクが垂直方向に動くために必要は距離に比例する。比較のために、本発明に従っていないオリジナルの波形が又、１４Ａに示されている。例えば、駆動を変調するパルス幅において、全パルス幅（ＦＰＷ）が白色から黒色にディスプレイをリセットするために必要とされるが、ＦＰＷの２／３のみがＧ２から黒色に必要であり、ＦＰＷの１／３のみがＧ１から黒色に必要である。シェーキングパルスは適用されない。それらの波形は、例えば、遷移マトリクスに基づく駆動方法が用いられるとき、使用可能であり、その方法においては、前画像は、次画像に対するインパルス（時間ｘ電圧）の決定において考慮される。又、それらの波形は、ディスプレイにおいて用いられるインク材料が画像履歴及び／又は滞留時間に感応しないとき、用いられることが可能である。又、Ｇ２、Ｇ１及びＢからＧ１への短いシーケンス（図１４Ａ）における単一のリセットパルスは、一様でないパルス幅を有する幾つかの短いリセットパルス（図１４Ｂ）に分離され、それらの幾つかの短いリセットパルスは、長い遷移シーケンス（ＷからＧ１）におけるリセットパルスに対して必要な時間期間における一様な距離を伴って分布している一方、長いシーケンスにおける単一のリセットパルス歯変化しないまま保たれる。簡単化のために、それらの短いパルスにおけるパルス時間の合計は又、オリジナルの単一のリセットのパルス幅に等しくなるように取られる。リセット黒色状態と階調の付加との間の遅延は、ここで、最小化され、更に自然な画像外観が、全画像更新時間の増加なく、得られる。
【００４７】
実施形態５
本発明の実施形態５について、図１５に模式的に示していて、その図１５において、
シェーキングパルスの２つの集合が、実施形態４の駆動波形に基づいて、リセットパルスに先立って及び駆動パルスに先立って適用される。それらのシェーキングパルスは、滞留時間及び／又は画像履歴の効果を効果的に低減することができる。これは、遷移マトリクスに基づく駆動方法が用いられるとき、前画像状態の数の著しい減少を意味する。それらのシェーキングパルスは、ディスプレイにおいて用いられるインク材料が画像履歴及び／又は滞留時間に感応しないとき、特に必要である。
【００４８】
図１６及びそれ以後の全ての他の図は、リセットパルスの適用についての模式的な図であり、それらの図において、灰色領域はリセット電圧（例えば、＋１５Ｖ、−１５Ｖ）の適用を示し、白色領域は０Ｖを示す。横軸に沿って、時間が与えられ、リセット期間（Ｐｒｅｓｅｔ）は、それらの実施例においては、１２ステップに分割されている。縦方向の種々のスキームが模式的に示され、最初の図１６においては、全く複雑なスキームが示され、その図においては、１２個の階調が存在している（リセット時間期間Ｐｒｅｓｅｔにおいては階調と同数の副分割が存在している）。それ故、１３個のレベル間で、即ち、白色（Ｗ）、黒色（Ｂ）及びそれらの間の１１個の階調（Ｇ１乃至Ｇ１１）において、リセットすることが可能である。図１６は、各々のリセットパルスは単一パルスであるスキームを示している。その図の左側の部分は、全てのリセットパルスがリセット期間の開始から与えられるスキームを示し、その図の右側部分は、全てのリセットパルスがリセット期間の終了近くに与えられるスキームを示している。
【００４９】
図１７は、階調の数が減少された種々のスキーム１６Ａ乃至１６Ｈを示している。スキーム１６Ｄは図１４Ａのスキームに対応している。それらのスキームの全てにおいて、リセットパルスは、リセット期間の開始（その図の左側）か又は終了近く（その図の右側）のどちらかに集まる単一のリセットパルスである。図１６及び１７のスキームは、リセットパルスは全てが単一のリセットパルスであるため、本発明の範囲に基づくものではない。
【００５０】
図１８は、本発明に従ってスキームについて示している。そのリセット期間は、１２個の時間固定時間期間に分割されている。図１８のスキームを図１６のスキームと比較すると、非常に長いリセットパルス又は非常に短いリセットパルス以外の、多くの遷移に対するリセットパルスは、０Ｖパルスが適用される期間により分離された２つのサブリセットパルスに分割されている。図１８は最も複雑なスキームを示し、図１９は、使用される階調が少ないスキームを示している。ある光学状態からある極端光学状態への少なくとも１つの遷移のためのスキームの各々においては、２つ又はそれ以上のパルスが適用され、それらのパルスは非ゼロ（この場合、１のみ）時間インターバルにより分離されている。非常に長い又は非常に短い、即ち、上限閾値以下の長さを有する、パルス（この場合、スキーム８乃至１２に依存する）が、１つの単一パルスにおいて適用される。図１９において模式的に示されているスキームの殆どは、リセットパルスの長さが全ての遷移に対して等しい（例えば、最上部のスキーム、それより下のスキーム及び最下部のスキーム）ことを示している。
【００５１】
図２０及び２１は、本発明の他の更に好適な実施形態を示している。それらのスキームにおいて、リセットパルスは、図１８及び１９におけるように、２つに分離されているが、図１８及び１９においては、サブリセットパルスは、リセット期間Ｐｒｅｓｅｔの開始及び終了において、開始及び終了し、図２０及び２１のスキームにおいては、少なくとも幾つかのリセット遷移に対して、サブリセットパルスは、リセット期間の約２５％及び７５％集められる。又、図１８及び１９に関しては、ある光学状態からある極端光学状態への少なくとも１つの遷移に対する遷移の各々において、２つ又はそれ以上の（この場合、２つ）のパルスが適用され、それらのパルスは非ゼロ（この場合、１のみ）の時間インターバルにより分離されている。非常に長い又は非常に短い、即ち、上限閾値以下（この場合、スキーム８乃至１２に依存する）及び下限閾値以上（この場合、０又は１）の長さを有する、パルスが、１つの単一の、非常に長い又は非常に短いパルスにおいて適用される。実際、図２１に模式的に示されているスキームの４つのうち３つは、リセットパルスの長さが全ての遷移に対して等しいことを示している。
【００５２】
図２２及び２３は、最終的に、分離されたリセットパルスがリセット期間に亘って更に一様に分布している、本発明の更に好適な実施形態を示している。
【００５３】
図２４は、グラフィカルな方式で本発明の効果を示している。横軸において、１２個（この実施例において）のフレーム時間に分割されたリセット期間が与えられ、縦軸において、リセットの平均達成量（％）が示されている。それらのスキームにおいて、図１６及び１７では、リセットの主要部分は、リセット期間の開始直後か又はリセット期間の終了直前のどちらかにおいてなされ、後者の条件はその図において線２４１により示されている。リセットの主要部分は、リセット期間の終了近くの時間の短い期間においてなされ、その期間は衝撃効果に相当することは明らかである。図１８及び１９に示しているように、リセットパルスを２つに分離することにより、図２４における線２４２に示しているように、この効果を低減させることができる。これは著しくその衝撃効果を低減させることができる（リセットの一部は、リセット期間の終了近く及び開始近くにおいてなされる）が、一部の衝撃効果は、リセット期間の開始及び終了近くにおいて明らかである。線２４３は、図２０及び２１において示されているようなスキームの効果を示している。理想的な線（線２４５）近くのスムーズな遷移が確立される。それ故、リセット期間の約２５％及び７５％の２つのパルスが一点に集まることが表示を改善する。２つより多いパルスを適用する（図２２及び２３）ことにより、更にスムーズな遷移（線２４４）が可能である。
【００５４】
それ故、リセットパルスを複数の短いリセットパルスに分離することは、衝撃効果の低減及びよりスムーズな遷移を与える。リセットパルスを分離することはエネルギーを要するため、最善の解決方法は、エネルギー消費とスムージング効果との間のトレードオフに依存する。実施形態においてこのトレードオフに依存して、リセットパルスは２つ、３つ又はそれ以上の短いパルスに分離されることが可能である。
【００５５】
本発明は、上記のように特に図示しながら説明してきたことにより制限されることがないことを、当業者は理解することができるであろう。本発明は、各々の及び全ての新規な特徴に属し、各々の及び全ての特徴の組み合わせに属す。用語“を有する”及びその用語の派生表現は、請求項に記載されている要素以外の要素の存在を排除するものではない。要素の単数表現はそれらの要素の複数の存在を排除するものではない。
【００５６】
本発明は又、本発明のための特定の作用を実行するために、本発明に従ったディスプレイパネルにおいて使用されるプログラムコード手段を有する何れのプログラムプロダクトばかりでなく、前記プログラムがコンピュータにおいて実行されるときに、本発明に従った方法を実行するためにコンピュータ読み取り可能媒体に記憶されているプログラムコード手段を有する何れのコンピュータプログラムプロダクトにおいて及びコンピュータにおいて前記プログラムが実行されるとき、本発明に従った方法を実行するためにプログラムコード手段を有する何れのコンピュータプログラムにおいて実行される。
【００５７】
本発明については、特定の実施形態に関して説明してきたが、それらの実施形態は、限定的なものとして意図されたものではなく、本発明を例示しているものである。本発明は、ハードウェア、ファームウェア、ソフトウェア又はそれらの組み合わせにおいて実行されることが可能である。他の実施形態は、同時提出の特許請求の範囲における範囲内にある。
【００５８】
同時提出の特許請求の範囲における範囲から逸脱することなく、本発明の範囲内で多くの変形を実行することが可能であることは明らかである。
【図面の簡単な説明】
【００５９】
【図１】ディスプレイパネルの実施形態の正面図である。
【図２】図１の線ＩＩ−ＩＩに沿った断面図である。
【図３】電気泳動ディスプレイ装置の他の実施例の一部の断面図である。
【図４】図３のピクチャディスプレイ装置の等価回路を示す図である。
【図５Ａ】実施形態についてのサブセットのピクチャ要素に対する時間の関数としての電位差を示す図である。
【図５Ｂ】実施形態の変形におけるサブセットのピクチャ要素に対する時間の関数としての電位差を示す図である。
【図６Ａ】実施形態の他の変形におけるサブセットのピクチャ要素に対する時間の関数としての電位差を示す図である。
【図６Ｂ】図５Ａに関連する実施形態の同じ変形におけるサブセットの他のピクチャ要素に対する時間の関数としての電位差を示す図である。
【図７】実施形態の他の変形におけるリセット電位差の結果としての第１外観及び第２外観の平均を表すピクチャを示す図である。
【図８】実施形態の他の変形におけるリセット電位差の結果としての第１外観及び第２外観の平均を表すピクチャを示す図である。
【図９】実施形態の他の変形におけるサブセットのピクチャ要素に対する時間の関数としての電位差を示す図である。
【図１０Ａ】本発明の実施形態に従って、リセットパルスの分離を伴わないスキームを示す図である。
【図１０Ｂ】本発明の実施形態に従って、リセットパルスの分離を伴うスキームを示す図である。
【図１１Ａ】本発明の実施形態に従って、リセットパルスの分離を伴わない更なるスキームを示す図である。
【図１１Ｂ】本発明の実施形態に従って、リセットパルスの分離を伴う更なるスキームを示す図である。
【図１２】リセットパルスが分離されたスキームの更なる実施例を示す図である。
【図１３】リセットパルスが分離されたスキームの更なる実施例を示す図である。
【図１４Ａ】リセットパルスが分離されたスキームの更なる実施例を示す図である。
【図１４Ｂ】リセットパルスが分離されたスキームの更なる実施例を示す図である。
【図１５】リセットパルスが分離されたスキームの更なる実施例を示す図である。
【図１６】リセットパルスについて複雑度を増した本発明の範囲外のスキームを示す図である。
【図１７】リセットパルスについて複雑度を増した本発明の範囲外のスキームを示す図である。
【図１８】リセットパルスについて複雑度を増した本発明の範囲外のスキームを示す図である。
【図１９】リセットパルスについて複雑度を増した本発明の範囲内のスキームを示す図である。
【図２０】リセットパルスについて複雑度を増した本発明の範囲内のスキームを示す図である。
【図２１】リセットパルスについて複雑度を増した本発明の範囲内のスキームを示す図である。
【図２２】リセットパルスについて複雑度を増した本発明の範囲内のスキームを示す図である。
【図２３】リセットパルスについて複雑度を増した本発明の範囲内のスキームを示す図である。
【図２４】本発明のプラス効果を示す図である。
【図１】
2007527025.tif 000003
【図２】
2007527025.tif 000004
【図３】
2007527025.tif 000005
【図４】
2007527025.tif 000006
【図５Ａ−５Ｂ】
2007527025.tif 000007
【図６Ａ】
2007527025.tif 000008
【図６Ｂ】
2007527025.tif 000009
【図７】
2007527025.tif 000010
【図８】
2007527025.tif 000011
【図９】
2007527025.tif 000012
【図１０Ａ】
2007527025.tif 000013
【図１０Ｂ】
2007527025.tif 000014
【図１１Ａ】
2007527025.tif 000015
【図１１Ｂ】
2007527025.tif 000016
【図１２】
2007527025.tif 000017
【図１３】
2007527025.tif 000018
【図１４Ａ】
2007527025.tif 000019
【図１４Ｂ】
2007527025.tif 000020
【図１５】
2007527025.tif 000021
【図１６】
2007527025.tif 000022
【図１７】
2007527025.tif 000023
【図１８】
2007527025.tif 000024
【図１９】
2007527025.tif 000025
【図２０】
2007527025.tif 000026
【図２１】
2007527025.tif 000027
【図２２】
2007527025.tif 000028
【図２３】
2007527025.tif 000029
【図２４】
2007527025.tif 000030
【国際調査報告】
2007527025.tif 000031
2007527025.tif 000032
2007527025.tif 000033